(57)【要約】      （修正有）【課題】携帯電話保護フィルムの技術分野に関し、通音防水フィルム付きの携帯電話強化フィルムを提供する。【解決手段】通音防水フィルム２付きの携帯電話強化フィルムは、強化フィルム本体１及び通音防水フィルム２を備え、前記通音防水フィルム２は接着剤層２１、防水ネット層２２、及びナノコーティング２３を備え、通音防水フィルムを設けることで、携帯電話のスピーカの位置に貼り付けることができ、防水性、通音性、防塵性を有し、携帯電話保護フィルムによる全体防水が図られ、音声の音量にも影響せず、構造が簡単で、生産されやすく、製造コストが低い効果を奏する。【選択図】図１
0003225412.tif 000002
【実用新案登録請求の範囲】
【請求項１】
強化フィルム本体（１）及び通音防水フィルム（２）を備え、
前記強化フィルム本体（１）は、携帯電話の画面に貼って保護機能を果たすために使用され、
前記通音防水フィルム（２）は、強化フィルム本体（１）の上部に接合されており、携帯電話のスピーカの位置に貼るために使用され、
前記強化フィルム本体（１）は強化ガラス層（１１）及び透明の２液性接着剤層（１２）を備え、透明の２液性接着剤層（１２）は強化ガラス層（１１）の上に設けられており、
前記通音防水フィルム（２）は接着剤層（２１）、防水ネット層（２２）、及びナノコーティング（２３）を備え、
前記防水ネット層（２２）は接着剤層（２１）の上に設けられており、前記ナノコーティング（２３）は防水ネット層（２２）の上に設けられており、
前記通音防水フィルム（２）は防水性及び通音性を有する
ことを特徴とする通音防水フィルム付きの携帯電話強化フィルム。
【請求項２】
前記強化ガラス層（１１）の材質は、アルミノシリケートガラス又はソーダ石灰ガラスであり、硬度が鉛筆硬度９Ｈである
ことを特徴とする請求項１に記載の通音防水フィルム付きの携帯電話強化フィルム。
【請求項３】
前記透明の２液性接着剤層（１２）の材質は２成分エポキシ樹脂接着剤である
ことを特徴とする請求項２に記載の通音防水フィルム付きの携帯電話強化フィルム。
【請求項４】
前記接着剤層（２１）の材質は、３Ｍ接着剤即ちアクリル酸系接着剤であり、高い接着強度を有する
ことを特徴とする請求項１に記載の通音防水フィルム付きの携帯電話強化フィルム。
【請求項５】
前記防水ネット層（２２）の材質はポリエステル材質である
ことを特徴とする請求項１に記載の通音防水フィルム付きの携帯電話強化フィルム。
【請求項６】
前記ナノコーティング（２３）はナノ粒子塗料で形成されたコーティングである
ことを特徴とする請求項１に記載の通音防水フィルム付きの携帯電話強化フィルム。
【考案の詳細な説明】
【技術分野】
【０００１】
本考案は、携帯電話保護フィルムの技術分野に関し、特に通音防水フィルム付きの携帯電話強化フィルムに関する。
【背景技術】
【０００２】
タッチスクリーン型スマートフォンがますます広く使用されることに伴い、人々はタッチスクリーン型スマートフォンの画面にフィルムを貼り付けるようになった。これにより、携帯電話の画面が保護され、携帯電話の画面の耐衝撃性の向上、擦り傷防止及び防水ができる。そこで、様々な携帯電話保護フィルムが提案されている。強化ガラス製の携帯電話保護フィルムは、２０１２年から中国で発売された保護フィルムであり、現在、画面の保護が最強化される先端製品である。このような保護フィルムは、携帯電話の画面を覆って外力による損害や擦り傷を防止し、さらに衝撃吸収性を高めることができ、ＰＥＴ製の携帯電話保護フィルムに比べて保護性能が５倍高く、画面の動画再生効果に影響することもない。強化ガラス製の携帯電話保護フィルムは、優れた点がたくさんあるが、携帯電話の画面に貼る場合にスピーカの位置を覆うことができない。それは、携帯電話のスピーカの位置が覆われると、音量が低減するからである。一方で、スピーカの位置を覆わないと、スピーカの位置は防水できない。従って、通音防水フィルムを有する強化フィルムが開発されており、通音防水フィルムが設けられているため、スピーカの位置を覆っても、防水できるとともに、音声が透過可能であり、非常に実用的である。
【０００３】
しかしながら、従来の通音防水フィルム付きの強化フィルムは、構造が非常に複雑で、製作工程が多く、生産されにくく、製造コストが高い。
【考案の概要】
【考案が解決しようとする課題】
【０００４】
本考案が主に解決しようとする技術課題は、通音防水フィルム付きの携帯電話強化フィルムを提供することである。この携帯電話強化フィルムは、防水性、通音性、及び防塵性を有し、構造が簡単で、生産されやすく、製造コストが低い。
【課題を解決するための手段】
【０００５】
上記の課題を解決するために、本考案に係る通音防水フィルム付きの携帯電話強化フィルムは、強化フィルム本体及び通音防水フィルムを備え、前記強化フィルム本体は、携帯電話の画面に貼って保護機能を果たすために使用され、前記通音防水フィルムは、強化フィルム本体の上部に接合されており、携帯電話のスピーカの位置に貼るために使用され、前記強化フィルム本体は強化ガラス層及び透明の２液性接着剤層を備え、透明の２液性接着剤層は強化ガラス層の上に設けられており、前記通音防水フィルムは接着剤層、防水ネット層、及びナノコーティングを備え、前記防水ネット層は接着剤層の上に設けられており、前記ナノコーティングは防水ネット層の上に設けられており、前記通音防水フィルムは防水性及び通音性を有する。
【０００６】
さらに、前記強化ガラス層の材質は、アルミノシリケートガラス又はソーダ石灰ガラスであり、硬度が鉛筆硬度９Ｈである。
【０００７】
さらに、前記透明の２液性接着剤層の材質は２成分エポキシ樹脂接着剤である。
【０００８】
さらに、前記接着剤層の材質は、３Ｍ接着剤即ちアクリル酸系接着剤であり、高い接着強度を有する。
【０００９】
さらに、前記防水ネット層の材質はポリエステル材質である。
【００１０】
さらに、前記ナノコーティングはナノ粒子塗料で形成されたコーティングである。
【００１１】
使用時に、通音防水フィルム付きの携帯電話強化フィルムはタッチスクリーン型スマートフォンの画面に貼り付けられている。即ち、強化フィルム本体が携帯電話のタッチスクリーンに、通音防水フィルムが携帯電話のスピーカの位置に貼り付けられている。これにより、携帯電話強化フィルムは、画面全体を覆うことができ、防水し、擦り傷を防止し、落下による画面割れを防止することができ、通音性が良好である。
【考案の効果】
【００１２】
本考案によれば、通音防水フィルムを設けることで、携帯電話のスピーカの位置に貼り付けることができ、防水性、通音性、及び防塵性を有し、携帯電話保護フィルムによる全体防水が図られ、音声の音量にも影響せず、構造が簡単で、生産されやすく、製造コストが低い、という効果を奏することができる。
【図面の簡単な説明】
【００１３】
本考案の実施例を一層明確に説明するために、実施例についての説明に使用される図面を簡単に説明する。勿論、説明される図面が本考案の一部の実施例に過ぎず、当業者であれば、創造的な行為が要らずにこれらの図面に基づいて他の図面を得ることができる。
【図１】本考案の一部の断面模式図である。
【図２】本考案の正面模式図である。  以下では、実施例に基づき、図面を参照しながら、本考案の目的の達成、機能の特徴及び優れた点についてさらに説明する。
【考案を実施するための形態】
【００１４】
本考案の目的、技術事項及び優れた点を一層明確にさせるために、以下は本考案の実施例に係る図面を参照しながら、本考案の実施例に係る技術事項を一層明確かつ完全に説明する。勿論、説明される実施例は本考案の一部の実施例に過ぎず、全ての実施例ではない。本考案の実施例に基づき、当業者が創造的な行為をせずに得た他の実施例は、いずれも本考案の技術的範囲に属する。
【００１５】
実施例１．
図１及び図２に示すように、通音防水フィルム付きの携帯電話強化フィルムは、強化フィルム本体１及び通音防水フィルム２を備え、前記強化フィルム本体１は、携帯電話の画面に貼って保護機能を果たすために使用され、前記通音防水フィルム２は、強化フィルム本体１の上部に接合されており、携帯電話のスピーカの位置に貼るために使用され、前記強化フィルム本体１は強化ガラス層１１及び透明の２液性接着剤層１２を備え、透明の２液性接着剤層１２は強化ガラス層１１の上に設けられており、前記通音防水フィルム２は接着剤層２１、防水ネット層２２、及びナノコーティング２３を備え、前記防水ネット層２２は接着剤層２１の上に設けられており、前記ナノコーティング２３は防水ネット層２２の上に設けられており、前記通音防水フィルム２は防水性及び通音性を有する。
【００１６】
具体的には、通音防水フィルム付きの携帯電話強化フィルムは、タッチスクリーン型スマートフォンの画面に貼り付けられる。即ち、強化フィルム本体１は携帯電話のタッチスクリーンに、通音防水フィルム２は携帯電話のスピーカの位置に貼り付けられる。これにより、携帯電話強化フィルムは、画面全体を覆うことができ、防水し、擦り傷を防止し、落下による画面割れを防止することができ、通音性が良好である。
【００１７】
図１に示すように、前記強化ガラス層１１は、材質がアルミノシリケートガラス又はソーダ石灰ガラスであり、硬度が鉛筆硬度９Ｈである。
【００１８】
図１に示すように、前記透明の２液性接着剤層１２の材質は２成分エポキシ樹脂接着剤である。
【００１９】
図１に示すように、前記接着剤層２１の材質は、３Ｍ接着剤即ちアクリル酸系接着剤であり、高い接着強度を有する。
【００２０】
図１に示すように、前記防水ネット層２２の材質はポリエステル材質である。
【００２１】
図１に示すように、前記ナノコーティング２３はナノ粒子塗料で形成されたコーティングである。
【００２２】
以上の実施例は本考案の技術事項を説明するものに過ぎず、本考案を限定するためのものではない。前記実施例を参照して本考案について詳細に説明したが、当業者であれば、前記各実施例に記載の技術事項を修正し、又はそのうち一部の技術的特徴に対して均等物による置換を行うことができ、これらの修正又は置換によって本考案の実質を本考案の各実施例に係る技術事項の精神及び範囲から逸脱させることはないと理解されるべきである。
【図１】
0003225412.tif 000003
【図２】
0003225412.tif 000004